(57)【特許請求の範囲】
【請求項１】
床面に所定の間隔を隔てて平行に形成された一対の溝にそれぞれ埋め込まれ、断面が凹状のスペーサと、
前記スペーサに挟持され、起立配置される一対の側板と、
前記側板上部を固定する天板と、
を具備する収納ユニット。
【請求項２】
前記スペーサは、内部底面に、前記スペーサをレベリング部材に固定する固定用ネジ頭部を収容する凹部を設けてなる請求項１に記載の収納ユニット。
【請求項３】
前記側板の前面及び背面にそれぞれ取り付けられた開閉自在な扉を具備する請求項１に記載の収納ユニット。
【請求項４】
前記側板の前面及び背面に取り付けられた扉のいずれか一方の内側下部に配置され、前記側板に固定されたストッパと、
前記一方の扉の内側に設けられ、前記ストッパと係止する鍵部材と、
を具備する請求項３に記載の収納ユニット。
【請求項５】
収納ユニットの側板に嵌合し、予め形成された床面の溝に埋め込まれる、断面が凹状に形成されたスペーサであって、
底部と、
前記底部に連なる側部と、
前記側部の間に開口する開口部と、
を有し、
断面における内面の幅が底部より開口部の方が狭く形成されるスペーサ。
【請求項６】
側部内面及び底部内面のそれぞれに、緩衝用の凸部を有する請求項５に記載のスペーサ。
【請求項７】
両側部から外側に延伸するように形成され、上面が側部から外側に向けてなだらかな傾斜状を有し、下面が平面形状を有するつば部を具備する請求項５に記載のスペーサ。
【発明の詳細な説明】
【技術分野】
【０００１】
本発明は、一般家屋に施工される収納ユニット及び収納ユニットの設置に用いるスペーサに関する。
【背景技術】
【０００２】
アパート及びマンションなどの集合住宅や、一戸建て住宅などの一般家屋では、スペースを有効利用した機能的な収納スペースのニーズが高まっている。このような機能的な収納スペースとして、部屋を間仕切る収納ユニットが知られている（例えば、特許文献１参照）。
【０００３】
また、図１に示すように、床面に配置した地板１１に、２枚の側板１２と１枚の背板１３とを固定し、これらの側板１２及び背板１３に天板１４を固定し、側板１２に扉１５を設けた収納ユニットＡがある。
【先行技術文献】
【特許文献】
【０００４】
【特許文献１】特開２００１−１５２５８０号公報
【発明の概要】
【発明が解決しようとする課題】
【０００５】
しかしながら、上述した収納ユニットＡでは、床面と地板１１とに段差が生じ、重い荷物を収納する場合や、キャスターなどの車輪のついた荷物を収納する場合に、段差を越えなければならず、収納ユニットとしての使い勝手が悪いという問題がある。また、収納ユニットＡでは、組み立てる際、作業に手間がかかるという問題がある。
【０００６】
本発明の目的は、床面との境界をフラットにし、かつ、容易に組み立てることができる収納ユニット及びスペーサを提供することである。
【課題を解決するための手段】
【０００７】
本発明の収納ユニットは、床面に所定の間隔を隔てて平行に形成された一対の溝にそれぞれ埋め込まれ、断面が凹状のスペーサと、前記スペーサに挟持され、起立配置される一対の側板と、前記側板上部を固定する天板と、を具備する構成を採る。
【０００８】
本発明のスペーサは、収納ユニットの側板に嵌合し、予め形成された床面の溝に埋め込まれる、断面が凹状に形成されたスペーサであって、底部と、前記底部に連なる側部と、前記側部の間に開口する開口部と、を有し、断面における内面の幅が底部より開口部の方が狭く形成される構成を採る。
【発明の効果】
【０００９】
本発明によれば、床面との境界をフラットにし、かつ、容易に組み立てることができる。
【図面の簡単な説明】
【００１０】
【図１】従来の収納ユニットを示す図
【図２】本発明の一実施の形態に係るスペーサの構成を示す斜視図
【図３】フローリングに埋め込まれたスペーサ及びスペーサに側板を挿入した様子を示す断面図
【図４】図３の点線で囲んだ部分を示す拡大図
【図５】本発明の一実施の形態に係る収納ユニットの概観を示す図
【図６】一方の扉をストッパによって固定した様子を示す図
【図７】扉を固定する構成を示す図
【図８】扉を固定した様子を示す拡大図
【発明を実施するための形態】
【００１１】
以下、本発明の実施の形態について、図面を参照して詳細に説明する。
【００１２】
（一実施の形態）
図２は、本発明の一実施の形態に係るスペーサ１００の構成を示す斜視図である。以下、図２を用いてスペーサ１００の構成について説明する。スペーサ１００は、樹脂製の押し出し成形部材であり、カッターなどの刃物で容易に切断及び加工しうるものである。
【００１３】
スペーサ１００は、断面が凹状に形成され、開口部を有する。凹状に形成されたスペーサ１００の内面には、その両側部の開口部近傍にそれぞれ複数の緩衝凸部１０１ａが形成され、また、スペーサ１００内面の底部には、両側部近傍にそれぞれ複数の緩衝凸部１０１ｂが形成されている。この緩衝凸部１０１ｂによって挟まれる領域には、スペーサ１００を固定する固定用ネジを差し込むスルーホールが所定間隔で配置されている。
【００１４】
また、開口部には、スペーサ１００の両側部から外側に延伸するようにつば部１０２が形成されており、つば部１０２の下面が平面形状を有し、上面がスペーサ１００の側部から外側に向けてなだらかな傾斜状を有している。
【００１５】
さらに、スペーサ１００の断面において、スペーサ１００内面の幅が底部より開口部の方がやや狭く形成されている。
【００１６】
ここで、床面であるフローリングに予め所定の間隔を隔てて平行に２本（一対）の溝を形成しておき、上述した構成を有するスペーサ１００をそれぞれの溝に埋め込み、埋め込まれたスペーサ１００の開口部に、収納ユニットを構成する側板の一辺を挿入する。このときの様子を示した断面図を図３に示す。また、図３の点線で囲んだ部分を拡大した図を図４に示す。図３及び図４では、フローリング下面のレベリング部材に固定用ネジ２０１でスペーサ１００を固定している。このとき、固定用ネジ２０１の頭が側板２０２と干渉しないように、緩衝凸部１０１ｂが形成されている。
【００１７】
また、このとき、スペーサ１００内面の幅は底部より開口部の方がやや狭く形成されているため、挿入された側板をより強く挟持し、側板を起立配置することができる。また、スペーサ１００の内面の開口部付近に形成された緩衝凸部１０１ａは、挿入された側板２０２のずれ、主に縦ずれを防止すると共に、振動などの衝撃を緩和することができる。同様に、スペーサ１００の内面の底部に形成された緩衝凸部１０１ｂは、挿入された側板２０２のずれ、主に横ずれを防止すると共に、振動などの衝撃を緩和することができる。このように、スペーサ１００は、振動などを緩衝するため、下層階への防音を図ることができる。
【００１８】
さらに、スペーサ１００の両側部に形成されたつば部１０２下面が平面形状を有することから、つば部１０２下面がフローリング上面と接して、側板２０２がフローリングの溝に必要以上に深く沈み込むことを防止することができる。また、つば部１０２の上面がなだらかな傾斜状を有することから、概観がきれいである上、角にたまりやすいゴミやホコリを容易に取り除くことができる。
【００１９】
図５は、本発明の一実施の形態に係る収納ユニットの概観を示す図である。図５は、３つの収納ユニットを部屋の中央に配置し、１つの部屋を２つの空間に仕切った様子を示しており、これらの収納ユニットの側板２０２は、図３及び図４に示したように、フローリングに埋め込まれたスペーサ１００によって挟持されている。また、図５には明示していないが、側板２０２の上部は、天板で固定されているか、天井に直接固定されている。
【００２０】
ところで、本発明に係る収納ユニットを、部屋のいかなる位置に配置するかにより、施工の方法が異なる。つまり、フローリングに対して側板２０２が直交するよう配置する場合には、側板２０２の奥行き方向に亘る全てのフローリングを、スペーサ１００に当接する長さで切断する。この工法によれば、それぞれ長さは異なるものの、フローリングを長さ方向に切断するだけなので、作業はより容易である。
【００２１】
また、フローリングに対して側板２０２が平行になるよう配置する場合には、側板２０２を固定する２枚のスペーサ１００の形状に合わせて、２枚のフローリングを切り欠く必要がある。この工法によれば、加工するフローリング数が少ないため、部屋の施工全体としては、作業効率が向上する。
【００２２】
このように、フローリングを収納ユニットの一部とすることにより、床面と収納ユニットとの境界を同一面（フラット）とすることができ、重い荷物を引きずって収納したり、キャスターなどの車輪のついた荷物をスムーズに収納したりすることができる。
【００２３】
また、収納ユニットは、図５に示すように、側板２０２の前面と背面に開閉自在な扉２０３が取り付けられている。すなわち、この収納ユニットは、仕切られた２つの空間（部屋）から物を出し入れすることができる。また、前面と背面の扉２０３を開くことにより、仕切られた２つの空間を行き来することができる。
【００２４】
なお、前面又は背面のいずれか一方の扉２０３をストッパ３０１によって固定し、開かなくしてもよい。この様子を図６に示す。図６では、背面の扉２０３の下部にストッパ３０１を配置し、扉２０３を固定した様子を示している。扉２０３を固定する構成を図７に示す。ストッパ３０１は、その両端で２枚の側板２０２に接しており、両端でラフィックスボルト３０２及びラフィックス３０３によって側板２０２に固定される。扉２０３の内側下部には、上下動する棒鍵３０４が取り付けられており、ストッパ３０１中央に予め設けられた固定用穴部３０５に棒鍵３０４を下ろすことにより、扉２０３を固定することができる。参考のため、扉２０３を固定した様子を拡大して図８に示す。
【００２５】
ちなみに、扉２０３とフローリングとの間には、わずかながら隙間が空いており、ストッパ３０１はこの隙間を塞ぐため、隙間を通る光を遮ることができる。
【００２６】
このように本実施の形態によれば、収納ユニットの側板を挟持するスペーサをフローリングの溝に埋め込み、埋め込んだスペーサに側板を嵌め込むという簡易な作業により、収納ユニットを容易に組み立てることができ、また、フローリングを収納ユニットの一部とするため、床面と収納ユニットとの境界を同一面（フラット）とすることができる。これにより、重い荷物を引きずって収納したり、キャスターなどの車輪のついた荷物をスムーズに収納したりすることができる。
【００２７】
なお、本実施の形態では、スペーサを樹脂製の押し出し成形部材として説明したが、本発明はこれに限らず、他の材質でもよく、好ましくは、ゴムなどの弾性部材が挙げられる。
【産業上の利用可能性】
【００２８】
本発明にかかる収納ユニット及びスペーサは、床面との境界をフラットにし、かつ、容易に組み立てるのに好適である。
【符号の説明】
【００２９】
１０１ａ、１０１ｂ  緩衝凸部
１０２  つば部
２０１  固定用ネジ
２０２  側板
２０３  扉
３０１  ストッパ
３０２  ラフィックスボルト
３０３  ラフィックス
３０４  棒鍵
３０５  固定用穴部
【図１】
0005313987.tif 000002
【図２】
0005313987.tif 000003
【図３】
0005313987.tif 000004
【図４】
0005313987.tif 000005
【図５】
0005313987.tif 000006
【図６】
0005313987.tif 000007
【図７】
0005313987.tif 000008
【図８】
0005313987.tif 000009